(57)【要約】【課題】  耐衝撃吸収性を確保することができる腕時計ケースを提供する。【解決手段】  腕時計ケース本体７の外表面を弾性カバー部材９で被覆した腕時計ケース１において、弾性カバー部材９は、３時側と９時側との側面の中央部１２が外部側方に突出して形成され、この中央部１２の弾性カバー部材９とこれに対応する腕時計ケース本体７との間に、弾性カバー部材９が変形したときに、その変形した一部が挿入する空間部１６を設けた。従って、弾性カバー部材９の中央部が衝撃を受けて弾性カバー部材９の変形する際、中央部１２の弾性カバー部材９とこれに対応する腕時計ケース本体７との間に設けられた空間部１６に、弾性カバー部材９の変形した一部を挿入させることができ、これにより衝撃を吸収して衝撃が腕時計ケース本体７に伝わるのを軽減できるので、耐衝撃吸収性を確保できる。【選択図】        図６
2010032424.tif 000002
【特許請求の範囲】
【請求項１】
腕時計ケース本体の外表面を弾性カバー部材で被覆した腕時計ケースにおいて、
前記弾性カバー部材は、３時側と９時側との側面の中央部が外側に突出して形成されており、前記中央部の前記弾性カバー部材とこれに対応する前記腕時計ケース本体との間には、前記弾性カバー部材が変形したときに、その弾性カバー部材の変形した一部が挿入する空間部が設けられていることを特徴とする腕時計ケース。
【請求項２】
前記中央部において前記弾性カバー部材が前記腕時計ケース本体に対してねじ部材により固定されていることを特徴とする請求項１に記載の腕時計ケース。
【請求項３】
前記空間部には、前記弾性カバー部材よりも軟らかい部材が配置されていることを特徴とする請求項１または請求項２に記載の腕時計ケース。
【請求項４】
前記弾性カバー部材の前記中央部の両側には、押釦が前記中央部よりも外側に突出することなくそれぞれ設けられていることを特徴とする請求項１〜請求項３埜いずれかに記載の腕時計ケース。
【発明の詳細な説明】
【技術分野】
【０００１】
この発明は、腕時計ケースに関する。
【背景技術】
【０００２】
従来、腕時計ケースにおいては、特許文献１に記載されているように、腕時計ケース本体の外表面に弾性部材を被覆すると共に、腕時計ケース本体の側面部に設けられた押釦の周辺に位置する弾性部材を外側に向けて出っ張る形状に形成し、衝撃が押釦に直接加わらず、押釦の周辺に位置する弾性部材の出っ張り部分に加わることにより、押釦の破損を防ぎ、且つ押釦を通じて伝わる衝撃により腕時計ケース本体内の時計モジュールが破壊されるのを防ぐように構成されたものが知られている。
【特許文献１】実公昭６３−４４７８４
【発明の開示】
【発明が解決しようとする課題】
【０００３】
しかしながら、このような従来の腕時計ケースでは、デザインの形状によって弾性部材の肉厚が偏り、肉厚の薄い薄肉部が生じ、この薄肉部での弾性性能が低下し、十分に衝撃を吸収することができず、衝撃が腕時計ケース本体内に伝わり、内部の時計モジュールが機能障害を引き起こすことがあるという問題がある。
【０００４】
また、腕時計ケース本体の外周に弾性部材を装着して固定する際、弾性部材が細長い枠形状である場合には、１時側と７時側、および５時側と１１時側との各対角線上の箇所をねじで固定するほかに、３時側と９時側との対角線上の箇所も、ねじで固定する必要がある。このような場合には、３時側と９時側とが側面衝撃を受けやすいため、この部分を硬い塊状に形成して強度を確保しているが、衝撃吸収性が低く、衝撃が腕時計ケース本体の内部に伝わりやすい傾向がある。
【０００５】
この発明が解決しようとする課題は、耐衝撃吸収性を確保することができる腕時計ケースを提供することである。
【課題を解決するための手段】
【０００６】
この発明は、上記課題を解決するために、次のような構成要素を備えている。
請求項１に記載の発明は、腕時計ケース本体の外表面を弾性カバー部材で被覆した腕時計ケースにおいて、前記弾性カバー部材は、３時側と９時側との側面の中央部が外側に突出して形成されており、前記中央部の前記弾性カバー部材とこれに対応する前記腕時計ケース本体との間には、前記弾性カバー部材が変形したときに、その弾性カバー部材の変形した一部が挿入する空間部が設けられていることを特徴とする腕時計ケースである。
【０００７】
請求項２に記載の発明は、前記中央部において前記弾性カバー部材が前記腕時計ケース本体に対してねじ部材により固定されていることを特徴とする請求項１に記載の腕時計ケースである。
【０００８】
請求項３に記載の発明は、前記空間部に前記弾性カバー部材よりも軟らかい部材が配置されていることを特徴とする請求項１または請求項２に記載の腕時計ケースである。
【０００９】
請求項４に記載の発明は、前記弾性カバー部材の前記中央部の両側に、押釦が前記中央部よりも外側に突出することなくそれぞれ設けられていることを特徴とする請求項１〜請求項３埜いずれかに記載の腕時計ケースである。
【発明の効果】
【００１０】
この発明によれば、弾性カバー部材における外側に突出した中央部が衝撃を受けて弾性カバー部材が変形する際、中央部の弾性カバー部材とこれに対応する腕時計ケース本体との間に設けられた空間部に、弾性カバー部材の変形した一部を挿入させることができ、これにより衝撃を吸収して衝撃が腕時計ケース本体に伝わるのを軽減することができるので、耐衝撃吸収性を確保することができる。
【発明を実施するための最良の形態】
【００１１】
以下、図１〜図７を参照して、この発明を腕時計に適用した一実施形態について説明する。
この腕時計は、図１〜図３に示すように、腕時計ケース１を備えている。この腕時計ケース１の上側開口部には、時計ガラス２がパッキン２ａを介して取り付けられており、この腕時計ケース１の下部には、裏蓋３が防水リング３ａを介してビス３ｂによって取り付けられている。
【００１２】
また、この腕時計ケース１の内部には、図３に示すように、時計モジュール４が収納されている。この場合、時計モジュール４の上面には、文字板４ａが設けられており、この文字板４ａと時計ガラス２の間には、見切部材４ｂが配置されている。また、時計モジュール４の下面と裏蓋３との間には、ゴムなどの緩衝部材４ｃが配置されている。さらに、この腕時計ケース１の側面には、図１に示すように、複数の押釦５が３時側と９時側とにそれぞれ２つずつ設けられているほか、６時側に位置する腕時計ケース１の上面にも、上面スイッチ６が設けられている。
【００１３】
また、この腕時計ケース１は、図１〜図４に示すように、腕時計ケース本体７と、この腕時計ケース本体７の上部外周に設けられた金属製のベゼル８と、このベゼル８の上面を除く外周面および腕時計ケース本体７の外周面を覆って設けられた弾性カバー部材９とを備えている。この場合、腕時計ケース本体７は、ポリアリレート（ＰＡＲ）などの合成樹脂からなり、その上部には、図３に示すように、金属製の補強部材７ａが埋め込まれている。
【００１４】
金属製のベゼル８は、図１〜図３に示すように、ほぼ枠状に形成され、腕時計ケース本体７の上面および上部側面を覆って配置されるように構成されている。また、このベゼル８は、その外周下端部が時計ガラス２の下面の下に位置し、且つ時計モジュール４の上面よりも上に位置し、この外周の下端部にフック部８ａが設けられている。弾性カバー部材９は、熱可塑性ポリウレタンエラストマ（ＴＰＵ）などの弾性材料からなり、図１〜図４に示すように、腕時計ケース本体７の外周面を覆うほぼ枠状に形成され、ベゼル８の上面を除く外周面および腕時計ケース本体７の外周面を覆うように構成されている。
【００１５】
また、この弾性カバー部材９は、図１および図２に示すように、１時側と７時側、および５時側と１１時側との各対角線上の箇所がビス１０によって腕時計ケース本体７に固定されているほかに、３時側と９時側との対角線上の箇所も、ビス１１によって腕時計ケース本体７に固定されている。この場合、弾性カバー部材９は、図１〜図３に示すように、３時側と９時側とに位置する側面が押釦５よりも外側に突出して形成されている。
【００１６】
すなわち、押釦５の周辺に位置する弾性カバー部材９の箇所のうち、中央部１２は、図１および図４に示すように、３時側の押釦５の間と９時側の押釦５の間とに位置し、最も外側に突出して形成されている。また、この中央部１２から押釦５を挟んで反対側の箇所に位置する周側部１３は、押釦５の外面とほぼ同じ高さで、中央部１２よりも低く形成されている。
【００１７】
これにより、弾性カバー部材９は、図５および図７に示すように、腕時計ケース１が落下して腕時計ケース１の外周面が床などの平面Ｓに当接した際、弾性カバー部材９の中央部１２および周側部１３が床などの平面Ｓに当接しても、押釦５が床などの平面Ｓに接触しないように構成されている。
【００１８】
例えば、図５に示すように、腕時計ケース１における弾性カバー部材９の中央部１２が床などの平面Ｓにほぼ平行に当接した際には、弾性カバー部材９の中央部１２のみが床などの平面Ｓに当接する。また、図７に示すように、腕時計ケース１における弾性カバー部材９の中央部１２が床などの平面Ｓに傾いて当接した際には、弾性カバー部材９の中央部１２とその周辺部１３とが床などの平面Ｓに当接する。
【００１９】
ところで、この弾性カバー部材９の中央部１２には、図３および図４に示すように、ビス１１が挿入する挿入孔部１４が設けられている。この場合、ビス１１は、頭部１１ａ、首部１１ｂ、ねじ部１１ｃを有し、先端側のねじ部１１ｃが首部１１ｂよりも少し細く形成されている。これに伴って、挿入孔部１４には、ビス１１の頭部１１ａが挿入する頭部挿入穴１４ａと、ビス１１の首部１１ｂが挿入する貫通孔１４ｂとが設けられている。
【００２０】
これにより、ビス１１は、先端側のねじ部１１ｃが弾性カバー部材９の挿入孔部１４を通して腕時計ケース本体７に設けられたねじ孔１５に螺着すると、図３および図４に示すように、頭部１１ａが頭部挿入穴１４ａ内に沈み込んで、頭部挿入穴１４ａの底部に当接し、首部１１ｂが貫通孔１４ｂを通してその先端が腕時計ケース本体７の外周面に当接し、この状態で弾性カバー部材９を腕時計ケース本体７に対して固定するように構成されている。
【００２１】
この場合、外側に突出した中央部１２に位置する弾性カバー部材９とこれに対応する腕時計ケース本体７との間には、図３および図４に示すように、空間部１６が設けられている。この空間部１６は、弾性カバー部材９の内面に凹部を形成することにより、中央部１２に位置する弾性カバー部材９とこれに対応する腕時計ケース本体７との間に設けられている。
【００２２】
すなわち、この空間部１６は、図３に示すように、その厚みがビス１１の首部１１ｂの長さよりも少し短く、且つ腕時計ケース本体７の外周面における上下方向の広さがベゼル８の下部から腕時計ケース本体７の下端部付近（つまり、裏蓋３の周辺に対応する腕時計ケース本体７の下部外周）に亘って設けられているほか、腕時計ケース本体７の外周面に沿う方向の広さが、図４に示すように、３時側および９時側の各押釦５間に位置する広さで設けられている。
【００２３】
このような腕時計ケース１によれば、腕時計ケース本体７の外表面を被覆する弾性カバー部材９が、３時側と９時側との各側面の中央部１２が外側に向けて突出して形成されており、その中央部１２に位置する弾性カバー部材９とこれに対応する腕時計ケース本体７との間に、弾性カバー部材９が変形したときに、その弾性カバー部材９の変形した一部が挿入する空間部１６が設けられていることにより、耐衝撃吸収性の高いものを得ることができる。
【００２４】
すなわち、この腕時計ケース１では、図５に示すように、落下などによって弾性カバー部材９における３時側の側面が床などの平面Ｓに衝突し、図６に示すように、その衝撃が弾性カバー部材９の外側に突出した中央部１２に加わると、この中央部１２の弾性カバー部材９とこれに対応する腕時計ケース本体７との間に設けられた空間部１６に、弾性カバー部材９の変形した一部が挿入することにより、衝撃を吸収して衝撃が腕時計ケース本体７に伝わるのを軽減することができるので、耐衝撃吸収性を確保することができる。
【００２５】
この場合、空間部１６は、その厚みがビス１１の首部１１ｂの長さよりも少し短く、且つ腕時計ケース本体７の外周面における上下方向の広さがベゼル８の下部から裏蓋３の周辺に対応する腕時計ケース本体７の下部外周に亘って設けられているほか、腕時計ケース本体７の外周面に沿う方向の広さが、図４に示すように、３時側および９時側の各押釦５間に位置する広さで設けられているので、図６に示すように、弾性カバー部材９の中央部１２が側面から衝撃を受けた際、腕時計ケース本体７の下部側に衝撃が伝わるだけで、腕時計ケース本体７内の時計モジュール４に衝撃が伝わるのを大幅に軽減することができる。
【００２６】
すなわち、弾性カバー部材９の中央部１２が側面から衝撃を受けた際、図６に示すように、その中央部１２の上部側で受けた衝撃は、ベゼル８に伝わり、このベゼル８を介して腕時計ケース本体７の上部側に伝わるが、ベゼル８が腕時計ケース本体７内の時計モジュール４の上側に位置しているので、時計モジュール４には衝撃が伝わりにくい。また、弾性カバー部材９の中央部１２における下部側で受けた衝撃は、裏蓋３の周辺に位置する腕時計ケース本体７の下部側に伝わるが、この下部側が腕時計ケース本体７内の時計モジュール４の下側に位置しているので、時計モジュール４には衝撃が伝わりにくい。これにより、腕時計ケース本体７内の時計モジュール４を衝撃から確実に保護することができる。
【００２７】
また、この腕時計ケース１では、弾性カバー部材９が中央部１２において腕時計ケース本体７に対してビス１１により固定されているので、中央部１２に位置する弾性カバー部材９とこれに対応する腕時計ケース本体７との間に空間部１６が設けられていても、弾性カバー部材９を腕時計ケース本体７の外周面に対して確実に且つ良好に固定することができる。
【００２８】
この場合、ビス１１は、頭部１１ａ、首部１１ｂ、ねじ部１１ｃを有し、このねじ部１１ｃが弾性カバー部材９の挿入孔部１４を通して腕時計ケース本体７に設けられたねじ孔１５に螺着するので、弾性カバー部材９の中央部１２が側面から衝撃を受けて弾性変形する際、ビス１１が動かずに、ビス１１の首部１１ｂに沿って弾性カバー部材９の中央部１２を容易に且つ良好に弾性変形させることができ、これによりビス１１で弾性カバー部材９を腕時計ケース本体７に対して固定しても、良好に衝撃を吸収することができる。
【００２９】
さらに、この腕時計ケース１では、押釦５の周辺に位置する弾性カバー部材９の箇所のうち、中央部１２が、図１および図４に示すように、３時側の押釦５の間と９時側の押釦５の間とに位置して最も外側に突出して形成され、この中央部１２から押釦５を挟んで反対側の箇所に位置する周側部１３が押釦５の外面とほぼ同じ高さで、中央部１２よりも低く形成されているので、腕時計ケース１が落下して腕時計ケース１の外周面が床などの平面Ｓに当接した際、弾性カバー部材９の中央部１２および周側部１３が床などの平面Ｓに当接しても、押釦５が床などの平面Ｓに接触しないため、押釦５を確実に且つ良好に保護することができる。
【００３０】
なお、上記実施形態では、中央部１２の弾性カバー部材９とこれに対応する腕時計ケース本体７との間に空間部１６を設けた構成である場合について述べたが、これに限らず、例えば図８に示す変形例のように、中央部１２の弾性カバー部材９とこれに対応する腕時計ケース本体７との間に設けられた空間部１６内に、弾性カバー部材９よりも軟らかいスポンジなどのクッション部材２０を配置した構成でも良い。このように空間部１６内にクッション部材２０を配置しても、上述した実施形態とほぼ同様の作用効果がある。
【００３１】
また、上記実施形態では、弾性カバー部材９の内面に凹部を形成して、中央部１２の弾性カバー部材９とこれに対応する腕時計ケース本体７との間に空間部１６を設けた場合について述べたが、これに限らず、中央部１２の弾性カバー部材９に対応する腕時計ケース本体７の外周面に凹部を形成して、中央部１２の弾性カバー部材９とこれに対応する腕時計ケース本体７との間に空間部１６を設けた構成でも良い。
【図面の簡単な説明】
【００３２】
【図１】この発明を適用した腕時計の一実施形態を示した正面図である。
【図２】図１の腕時計における３時側を示した側面図である。
【図３】図１のＡ−Ａ矢視における拡大断面図である。
【図４】図２のＢ−Ｂ矢視における拡大断面図である。
【図５】図１の腕時計における側面が床の平面に落下して当接した状態を示した図である。
【図６】図５の状態における衝撃が腕時計ケース本体に伝わる状態を矢印で示した要部の拡大断面図である。
【図７】図１の腕時計における側面が傾いた状態で床の平面に落下して当接した状態を示した図である。
【図８】この実施形態の変形例を示した要部の拡大断面図である。
【符号の説明】
【００３３】
１  腕時計ケース
２  時計ガラス
３  裏蓋
４  時計モジュール
５  押釦
７  腕時計ケース本体
８  ベゼル
９  弾性カバー部材
１０、１１  ビス
１２  弾性カバー部材の中央部
１４  挿入孔部
１５  ねじ孔
１６  空間部
２０  クッション部材
【図１】
2010032424.tif 000003
【図２】
2010032424.tif 000004
【図３】
2010032424.tif 000005
【図４】
2010032424.tif 000006
【図５】
2010032424.tif 000007
【図６】
2010032424.tif 000008
【図７】
2010032424.tif 000009
【図８】
2010032424.tif 000010